(57)【要約】【課題】市販のビーチサンダルに簡単に装着でき、ビーチサンダルが水の抵抗等により脱げて流されないようにしたビーチサンダル用ストラップを提供する。【解決手段】ストラップ１１のループ１６をビーチサンダル１の鼻緒２に巻き付けた後、スライダ１３と調節ストッパ１４との間の２本のコード１２の間隔を拡げて環状の固定部１７を形成し、該固定部１７に足６を差し入れて足６を捕捉することにより、ストラップ１１によって、ビーチサンダル１の鼻緒２と着用者の足６とが繋がれる。【選択図】図２
2019195366.tif 000002
【特許請求の範囲】
【請求項１】
二つ折りのコードと、該コードの折り返し部分に挿通された筒形のスライダと、前記折り返し部分の反対側のコードに固定位置変更可能に設けられた調節ストッパと、を備え、
前記コードの折り返し部分に形成されたループをビーチサンダルの鼻緒に巻き付けるとともに、前記コードの、前記スライダと前記コードストッパとの間には、差し入れられた着用者の足を捕捉する環状の固定部が形成される、ことを特徴とするビーチサンダル用ストラップ。
【請求項２】
テープ材からなり、着用者の足を巻き付けて捕える環状の巻き固定部と、該巻き固定部とビーチサンダルの鼻緒とを結合させる連結部と、を備える、ことを特徴とするビーチサンダル用ストラップ。
【発明の詳細な説明】
【技術分野】
【０００１】
本発明は、ビーチサンダルに装着するストラップに関する。
【背景技術】
【０００２】
特許文献１には、本体後部に取り付けられたゴム紐に紐を挿通させて着用者の足首に巻き付けることで、水の抵抗等により脱げて流されないようにした水中サンダルが開示されている。
【先行技術文献】
【特許文献】
【０００３】
【特許文献１】実開昭６３−１９７４０１号公報
【発明の概要】
【発明が解決しようとする課題】
【０００４】
特許文献１に記載の水中サンダルは、本体後部にゴム紐が取り付けられていることが必須であり、市販のビーチサンダルへの適用には、ゴム紐を取り付けるための孔を本体（底板）に加工する必要がある。また、特許文献１に記載の水中サンダルは、ゴム紐に挿通させた紐を足首に巻き付けて縛るので、紐が湿っているときに紐を容易に解くことができず、脱ぐのに手間と時間とを要する。さらに、ゴム紐に紐を挿通させるので、見栄えがしない。
【０００５】
そこで本発明は、市販のビーチサンダルに簡単に装着でき、ビーチサンダルが水の抵抗等により脱げて流されないようにしたビーチサンダル用ストラップを提供することを課題とする。
【課題を解決するための手段】
【０００６】
上記課題を解決するために、本発明のビーチサンダル用ストラップは、二つ折りのコードと、該コードの折り返し部分に挿通された筒形のスライダと、前記折り返し部分の反対側のコードに固定位置変更可能に設けられた調節ストッパと、を備え、前記コードの折り返し部分に形成されたループをビーチサンダルの鼻緒に巻き付けるとともに、前記コードの、前記スライダと前記コードストッパとの間には、差し入れられた着用者の足を捕捉する環状の固定部が形成される、ことを特徴とする。
【０００７】
また、本発明のビーチサンダル用ストラップは、テープ材からなり、着用者の足を巻き付けて捕える環状の巻き固定部と、該巻き固定部とビーチサンダルの鼻緒とを結合させる連結部と、を備える、ことを特徴とする。
【発明の効果】
【０００８】
本発明によれば、市販のビーチサンダルに簡単に装着でき、ビーチサンダルが水の抵抗等により脱げて流されないようにしたビーチサンダル用ストラップを提供することができる。
【図面の簡単な説明】
【０００９】
【図１】第１実施形態に係るビーチサンダル用ストラップの斜視図である。
【図２】第１実施形態に係るビーチサンダル用ストラップによってビーチサンダルと足とを繋いだ状態を示す説明図である。
【図３】第２実施形態に係るビーチサンダル用ストラップの斜視図である。
【図４】第２実施形態に係るビーチサンダル用ストラップによってビーチサンダルと足とを繋いだ状態を示す説明図である。
【発明を実施するための形態】
【００１０】
（第１実施形態）
本発明の第１実施形態を、図１および図２を参照して説明する。
便宜上、図１における左側および右側を、第１実施形態に係るストラップ１１における前側および後側と称する。
【００１１】
ストラップ１１は、コード１２、スライダ１３、調節ストッパ１４、およびコードエンド１５によって構成される。コード１２は、例えば軟質ウレタン樹脂等の可撓性を有する材料からなる。コード１２の両端部は相互に結索されており、その結び目には、コードエンド１５が被せられる。なお、コードエンド１５には、合成樹脂の他、ガラス等の装飾性が高い材料を用いることができる。
【００１２】
スライダ１３は、合成樹脂からなる筒形の部材であり、二つ折りにしたコード１２の折返し部分が挿通される。これにより、コード１２の、スライダ１３よりも前側部分（折返し部分）には、ループ１６が形成される。ループ１６の長さは、スライダ１３をコード１２に沿って前後方向へ移動させることで調節することができる。なお、スライダ１３には、合成樹脂の他、ガラス等の装飾性が高い材料を用いることができる。
【００１３】
調節ストッパ１４は、コード１２の、スライダ１３とコードエンド１５との間、換言すると、折り返し部分の反対側に設けられる。調節ストッパ１４は、突出方向へ付勢されたピン１４Ａを圧縮コイルばねの付勢力に抗して押し込んでいる間のみ、固定位置が変更可能、すなわち、コード１２に沿って移動させることが可能である。
【００１４】
次に、上述したストラップ１１の使用方法を説明する。
まず、ストラップ１１のループ１６を、ビーチサンダル１の鼻緒２に結び付ける。具体的には、ループ１６を前緒３に巻き付けた後、ループ１６の先端部内側にコード１２を通す。次に、スライダ１３と調節ストッパ１４との間の２本のコード１２の間隔を拡げて環状の固定部１７を形成し、該固定部１７に足６を差し入れて固定部１７で足６を捕捉するようにして、ビーチサンダル１を履く。これにより、ストラップ１１によって、ビーチサンダル１の鼻緒２と着用者の足６とが繋がれる。なお、コード１２は二つ折りにされているので、「２本のコード１２」は実際には１本である。
【００１５】
次に、ビーチサンダル１の着用者は、調節ストッパ１４のピン１４Ａを押し込みながら、当該調節ストッパ１４をコード１２に沿って移動させ、スライダ１３と調節ストッパ１４との間のコード１２の長さ、延いてはコード１２の張りを調節する。なお、調節ストッパ１４は、足６の踵の上に位置させる。この状態で、スライダ１３と調節ストッパ１４との間の各コード１２は、足６の内外の各踝の下を前後方向へ延びている。
【００１６】
第１実施形態は、以下の効果を奏する。
第１実施形態によれば、ビーチサンダル１の鼻緒２と着用者の足６とをストラップ１１で繋ぐことにより、水流によってビーチサンダル１が脱げてしまうのを防ぐことができる。また、ビーチサンダル１が脱げてしまったとしても、ビーチサンダル１が水流に流されてしまうことがない。
また、第１実施形態では、鼻緒２を備えたビーチサンダル１（履物）であれば、本体（底板）に孔等を加工することなく、そのままストラップ１１を装着して着用者の足６と繋ぐことができる。
また、着用者の足６に触れる部分（コード１２）が軟質ウレタン樹脂からなるので、装着感がよく、かつ装飾性に優れる。
さらに、固定位置が変更可能な調節ストッパ１４を移動させるだけで、容易に脱ぎ履きすることができる。
【００１７】
（第２実施形態）
本発明の第２実施形態を、図３および図４を参照して説明する。
便宜上、図３における左側および右側を、第２実施形態に係るストラップ２１における前側および後側と称する。
【００１８】
ストラップ２１は、一定幅を有するテープ材２２、該テープ材２２の一端部に接続されるＤ形リング２３、該Ｄ形リング２３に接続されるループ２４、テープ材２２の他端部に接続される第１コキ２５、および該第１コキ２５と同型の第２コキ２６によって構成される。テープ材２２は、例えば軟質ウレタン樹脂等の可撓性を有する材料（合成樹脂）からなる。ループ２４は、例えばテープ材２２と同一の材料（合成樹脂）からなり、Ｄ形リング２３のアーチ部２３Ａに接合（接着）される。なお、Ｄ形リング２３のストレート部２３Ｂには、テープ材２２の一端部が摺動可能に接続されている。
【００１９】
テープ材２２の他端部は、第１コキ２５のセンタピラーに摺動可能に接続されている。ここで、テープ材２２の一端部から他端部へ至る経路を説明する。テープ材２２は、一端部（前端部）から延びて、第２コキ２６のセンタピラーを越えるようにして当該第２コキ２６に通される。第２コキ２６に通されたテープ材２２は、テープ材２２の他端部が接続される第１コキ２５のセンタピラーを越えるようにして、当該第１コキ２５に通される。
【００２０】
第１コキ２５に通されたテープ材２２は、第２コキ２６のセンタピラーを巻くようにして当該第２コキ２６に通された後、第１コキ２５に向かって折り返される。このとき、テープ材２２は、上から見て内側に倒すように、Ｄ形リング２３から延びるテープ材２２の裏側に通される。このようにすることで、当該ストラップ２１をビーチサンダル１に装着したとき、テープ材２２が着用者の足に沿う状態（メダル掛け状態）になる。そして、第２コキ２６で折り返されたテープ材２２は、他端部が第１コキ２５のセンタピラーに接続される。
【００２１】
なお、着用者の足６を巻き付けて捕える巻き固定部２７は、テープ材２２の、第１コキ２５と第２コキ２６とを経由する環状部分からなる。また、巻き固定部２７とビーチサンダル１の鼻緒２とを結合させる連結部２８は、ループ２４、Ｄ形リング２３、およびＤ形リング２３と第２コキ２６との間のテープ材２２によって構成される。
【００２２】
次に、上述したストラップ２１の使用方法を説明する。
まず、ストラップ２１のループ２４を、ビーチサンダル１の鼻緒２に結び付ける。具体的には、ループ２４を外側の横緒４に巻き付けた後、ループ２４の先端部内側にテープ材２２を通す。次に、ストラップ２１の巻き固定部２７に足６を差し入れる、すなわち、テープ材２２の、第１コキ２５と第２コキ２６とを経由する環状部分を足６に巻き付けて当該足６を捕えるようにして、ビーチサンダル１を履く。これにより、ストラップ２１によって、ビーチサンダル１の鼻緒２と着用者の足６とが繋がれる。
【００２３】
次に、ビーチサンダル１の着用者は、第１コキ２５をテープ材２２に沿って移動させるようにして、巻き固定部２７の周長、延いてはテープ材２２の張りを調節する。なお、巻き固定部２７は、足６の踵の上を通過させる。また、第２コキ２６をテープ材２２に沿って移動させることにより、Ｄ形リング２３と第２コキ２６との間の長さを調節することが可能である。
【００２４】
第２実施形態は、以下の効果を奏する。
第２実施形態によれば、上述した第１実施形態と同等の作用効果を得ることができる。
なお、第２実施形態では、１本のテープ材２２によってストラップ２１を構成したが、例えば、環状の巻き固定部２７と連結部２８とを切り離して構成し、当該巻き固定部２７と連結部２８とをリング等によって接続するように構成してもよい。
【符号の説明】
【００２５】
１  ビーチサンダル、２  鼻緒、６  足、１１  ストラップ、１２  コード、１３  スライダ、１４  調節ストッパ、１６  ループ、１７  固定部
【図１】
2019195366.tif 000003
【図２】
2019195366.tif 000004
【図３】
2019195366.tif 000005
【図４】
2019195366.tif 000006